(57)【要約】【課題】プリンターを停止し且つカートリッジを取り出すことなく、連続して充填することが出来るインクジェットプリンターカートリッジの充填装置を提供する。【解決手段】インクジェットプリンターカートリッジの充填装置は、少なくとも一つの注射管と、少なくとも一つのインク充填器と、からなり、注射管の一端の管接頭が、カートリッジの注射孔内に挿接され、もう一端の管接頭が、針管に接続され、針管は、インク充填器の瓶蓋のインク出口に挿固され、インク出口底端は、サイフォン管を挿接し、瓶蓋上は、大気と相通する気孔を有する。【選択図】図１
0003119544.tif 000002
【実用新案登録請求の範囲】
【請求項１】
インクジェットプリンターカートリッジの充填装置であって、カートリッジ上に、注射孔を有し、その特徴は、前記充填装置は、その一端の管接頭が、前記カートリッジの注射孔内に挿接され、もう一端の管接頭が、針管に接続され、前記針管一端の管孔は、前記管接頭を挿接し、もう一端は、針先を固接する少なくとも一つの注射管と、頂端の瓶口内に、瓶塞を嵌接し、前記瓶塞は、インク出口、及び、気孔を有し、前記インク出口頂端は、前記針管を挿接し、底端の接管上は、サイフォン管を挿接し、気孔と外が相通する少なくとも一つのインク充填器と、からなり、前記インク充填器内のインクは、前記サイフォン管を経て、前記インク出口に達し、更に、前記注射管により、前記カートリッジ内に充填されることを特徴とするインクジェットプリンターカートリッジの充填装置。
【請求項２】
前記注射管一端の針管上に、針カバーが被せられることを特徴とする請求項１に記載のインクジェットプリンターカートリッジの充填装置。
【請求項３】
前記インク充填器の瓶塞頂端は、瓶蓋を有し、前記インク充填器の外螺紋上に栓固されることを特徴とする請求項１に記載のインクジェットプリンターカートリッジの充填装置。
【請求項４】
前記インク充填器のインク出口と気孔上は、それぞれ、ストッパーを挿接することを特徴とする請求項１に記載のインクジェットプリンターカートリッジの充填装置。
【考案の詳細な説明】
【技術分野】
【０００１】
本考案は、インクジェットプリンターカートリッジの充填装置に関するものであって、特に、インクを充填する時、プリンターを停止してカートリッジを取り出す必要がなく、サイフォン現象を運用し、インク充填器内のインクが最後まで、連続して供給され、環境保全を考慮したカートリッジの充填装置に関するものである。
【背景技術】
【０００２】
一般のインクジェットプリンターのインク充填方式は、プリンターを停止して、カートリッジを取り出し、針筒状のインク充填器により、ゆっくりとインクを注入する。しかし、公知のインク充填方式は、プリンターを停止して、カートリッジを取り出さないと充填できないので、非常に面倒で、且つ、連続してインクを供給することが出来ない。更に、インク充填器内は空気に接触しないので、充填器内のインクを完全に排出することが出来ず、インクが充填器内に残余し、無駄である。
【考案の開示】
【考案が解決しようとする課題】
【０００３】
本考案は、インク充填装置を提供し、カートリッジ内にインクを充填する時、プリンターを停止して、カートリッジを取り出す必要がなく、連続してインクを供給でき、且つ、サイフォン原理を利用し、インク充填器内のインクが、最後まで使われるインクジェットプリンターカートリッジの充填装置を提供することを目的とする。
【課題を解決するための手段】
【０００４】
上述の目的を達成するため、本考案のインク充填器は、少なくとも一つの注射管と少なくとも一つのインク充填器により構成される。
【考案の効果】
【０００５】
本考案により、カートリッジ内にインクを充填する時、プリンターを停止して、カートリッジを取り出す必要がなく、連続してインクを供給でき、且つ、サイフォン原理を利用し、最後までインクが使われる環境にやさしいという長所が得られる。
【考案を実施するための最良の形態】
【０００６】
図１で示されるように、本考案は、カラーインクジェットプリンターを例とし、カートリッジ１０の容室内は、異なる色のインクを充填している。カートリッジ１０頂端は、複数のOリング注射孔１１を有する。連続インク供給装置は、少なくとも一つの注射管２０と少なくとも一つのインク充填器３０からなる。
【０００７】
少なくとも一つの注射管２０は、その一端の管接頭２１が、カートリッジ１０の注射孔１１内に挿接され、図２で示されるように、もう一端の管接頭２２が、針管２３に接続される。針管２３一端の管孔２３１は、管接頭２２を挿接し、もう一端は、針先２３２を固接する。通常は、針管２３上は、針カバー２４が被せられ、針先２３２が刺さるのを防止する。
【０００８】
少なくとも一つのインク充填器３０は、図３Ａで示されるように、頂端の瓶口３０１内に、瓶塞３１を嵌接し、瓶塞３１頂端は、瓶蓋３２を有する。内ねじ山を有する瓶蓋３２は、インク充填器３０の外螺紋３０２上に栓固され、瓶塞３１頂端は、インク出口３１１、及び、気孔３１２を有し、インク出口３１１は、注射管２０一端の針管２３と挿固される。インク出口３１１底端の接管３１３上に、サイフォン管３１４を挿接し、インク充填器３０内に伸入する。インク充填器３０内のインクは、サイフォン管３１４のサイフォン現象を利用して、インク出口３１１から排出し、針管２３を経て、注射管２０内に流入し、更に、カートリッジ１０内に注射する。瓶塞３１の気孔３１２と外は相通していて、インク充填器３０内のインクは、サイフォン管３１４を経て、きれいに排出される。インクを充填しない時、インク出口３１１と気孔３１２は、それぞれ、相連するストッパー３１１１、３１２１により栓され、インクの流出を防止する。図３Ｂで示されるように、サイフォン管３１４底端の高密度のフィルター３１５は、漏斗状のネットキャップ３１６内に容置され、ネットキャップ３１６頂端の挿管３１６１は、サイフォン管３１４に挿接され、ネットキャップ３１６底部は、ネット蓋３１７により、フィルター３１５を抵限して、フィルター３１５の脱落を防止する。
【０００９】
更に、複数の注射管２０上に、複数の固定座４０を有し、固定座４０の底板４１の長さは可変で、底板４１上に、両面テープ４２を貼接して、プリンター上に貼って定位する。
【００１０】
図４で示されるように、インク充填器３０のインクは、図の矢印で示されるように、サイフォン原理により、注射管２０を経て、カートリッジ２０内に充填され、カートリッジ１０底端のインク注入口により、プリンターに供給する。
【００１１】
本考案のインクジェットプリンターカートリッジの充填装置は、カートリッジ内にインクを充填して、重複使用が出来、インクを補充する時、プリンターを停止して、カートリッジを取り出す必要がなく、充填装置は、直接、連続してインクを供給することが出来、サイフォン原理により、インク充填器内のインクが完全になくなるまで、連続して、インクを供給する。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】本考案の外観構造図である。
【図２】本考案の注射管と針管の分解図である。
【図３Ａ】本考案のインク充填器の分解図である。
【図３Ｂ】図３Ａの部分拡大図である。
【図４】本考案のインク充填の動作図である。
【符号の説明】
【００１４】
１０       カートリッジ
１１       注射孔
２０       注射管
２１、２２ 管接頭
２３       針管
２３１     管孔
２３２     針先
２４       針カバー
３０       インク充填器
３０１     瓶口
３０２     外螺紋
３１       瓶塞
３１１     インク出口
３１２     気孔
３１１１、３１２１ ストッパー
３１３      接管
３１４      サイフォン管
３１５      フィルター
３１６      ネットキャップ
３１６１    挿管
３１７      ネット蓋
３２        瓶蓋
４０        固定座
４１        底板
４２        両面テープ
【図１】
0003119544.tif 000003
【図２】
0003119544.tif 000004
【図３Ａ】
0003119544.tif 000005
【図３Ｂ】
0003119544.tif 000006
【図４】
0003119544.tif 000007